(57)【要約】【課題】  複数種類の原稿読取条件の設定状態を表示操作部に効率よく表示することによって、表示操作部のスペースの有効利用を図るとともに原稿読取条件の設定状態に対するユーザの認知性を向上させることができる画像形成装置を提供することである。【解決手段】  本体制御部２１が、複数種類の原稿読取条件の設定状態を組み合わせた状態を表す原稿設定アイコンを表示操作部２６にグラフィック表示させることを特徴とする。【選択図】  図２
2005151190.tif 000002
【特許請求の範囲】
【請求項１】
原稿画像を読み取り画像データを得る画像入力部と、画像データに基づいて用紙に画像を形成する印刷制御部と、画像形成装置の動作を制御する本体制御部と、ユーザに対する表示やユーザからの操作入力を行う表示操作部と、ユーザによって複数種類の原稿読取条件を設定可能な原稿読取条件設定手段とを具備した画像形成装置において、
前記本体制御部が、前記複数種類の原稿読取条件の設定状態を組み合わせた状態を表す原稿設定アイコンを前記表示操作部にグラフィック表示させる
ことを特徴とする画像形成装置。
【請求項２】
前記複数種類の原稿読取条件のうち少なくとも１つが両面とじ方向設定であることを特徴とする請求項１に記載の画像形成装置。
【請求項３】
両面選択が両面読取モードのときにのみ、前記両面とじ方向設定を反映した原稿読取条件の設定状態を表す原稿設定アイコンを前記表示操作部にグラフィック表示させることを特徴とする請求項２に記載の画像形成装置。
【請求項４】
原稿画像を読み取り画像データを得る画像入力部と、画像データに基づいて用紙に画像を形成する印刷制御部と、画像形成装置の動作を制御する本体制御部と、ユーザに対する表示やユーザからの操作入力を行う表示操作部と、ユーザによって複数種類の原稿読取条件を設定可能な原稿読取条件設定手段とを具備した画像形成装置の表示制御方法において、
前記複数種類の原稿読取条件の設定状態を組み合わせた状態を表す原稿設定アイコンを前記表示操作部にグラフィック表示させる
ことを特徴とする画像形成装置の表示制御方法。
【請求項５】
前記複数種類の原稿読取条件のうち少なくとも１つが両面とじ方向設定であることを特徴とする請求項４に記載の画像形成装置の表示制御方法。
【請求項６】
両面選択が両面読取モードのときにのみ、前記両面とじ方向設定を反映した原稿読取条件の設定状態を表す原稿設定アイコンを前記表示操作部にグラフィック表示させることを特徴とする請求項５に記載の画像形成装置の表示制御方法。
【発明の詳細な説明】
【技術分野】
【０００１】
本発明は、たとえば電子写真方式により用紙に画像形成する画像形成装置およびその表示制御方法に関する。
【背景技術】
【０００２】
従来から、一様に帯電させた感光体の感光層に光を当てることによって露光して潜像を形成し、この潜像が形成された感光層にトナーを付着させることによって現像し、これを用紙に転写して画像形成を行うディジタル複写機等の電子写真方式の画像形成装置がよく知られている。
【０００３】
このような画像形成装置において最近では多機能化が進み、これに伴い、その操作方法等も複雑化してきており、画像形成装置をユーザが操作する際に使用する表示操作部において、その操作を確認することができるようにしたいという要望が高まってきている。
【０００４】
たとえば特許文献１に記載の発明では、画像を読み取ることができ、その画像データを一時的に記憶しておくことができる画像記憶再生装置において、読み取り画像に関する情報すなわちその画像そのものをアイコンとして表示手段に表示するようにしている。
【０００５】
特許文献１に記載の発明では、このようにすることによって、その画像の概要を一目で認識することができ、操作性の向上に役立つようにしている。
【０００６】
【特許文献１】特開平６−４４３２４号公報
【発明の開示】
【発明が解決しようとする課題】
【０００７】
ところが、上述した従来技術においては以下のような問題があった。
【０００８】
すなわち、たとえば特許文献１に記載の発明では、読み取った画像を一時的に記憶しておき、アイコンによってその画像がどのような画像であるかを認識することはできるが、画像形成装置の表示操作部でユーザからの操作指示に関して、現在どのような操作指示がされているのかどのような設定になっているのかを、ユーザが確認したいという要望に対しては何ら考慮されておらず、不充分なものであった。
【０００９】
たとえば、画像形成装置の画像読取手段によって原稿画像を読み取る際の原稿読取条件の設定状態を、表示操作部においてユーザに通知する手段を設けることは非常に効果的であるが、このような設定状態の要素は多数種類存在する。たとえば原稿画像の向き、原稿の両面に読み取る画像がある場合に表面の画像と裏面の画像とでは天地が逆になっているかどうか（その原稿が上側を綴じたものであったか、それとも右側または左側を綴じたものであったか（その原稿が原稿の上側をステイプルなどで綴じていた場合、表面と裏面とで天地が逆の方が綴じたときに原稿を見やすい。一方、原稿の右側または左側をステイプルなどで綴じていた場合には表面と裏面とで天地が逆でないほうが原稿を見やすい。））の情報、原稿の画質の種類、原稿がＺ折りしてあるものであるなど特殊な原稿であるか、原稿がインデックス用の耳があるなどの特殊な形状のものであるか、などである。このため、上述の特許文献１のようにアイコンを用いて状態を示すようにする場合には、多数のアイコンを表示しなければならず、表示操作部のスペースを大きく占有してしまう上、原稿読取条件の設定状態に対するユーザの認知性も悪くなってしまう。
【００１０】
本発明は上記の点にかんがみてなされたもので、複数種類の原稿読取条件の設定状態を表示操作部に効率よく表示することによって、表示操作部のスペースの有効利用を図るとともに原稿読取条件の設定状態に対するユーザの認知性を向上させることができる画像形成装置を提供することを目的とする。
【課題を解決するための手段】
【００１１】
本発明は上記の目的を達成するために、原稿画像を読み取り画像データを得る画像入力部と、画像データに基づいて用紙に画像を形成する印刷制御部と、画像形成装置の動作を制御する本体制御部と、ユーザに対する表示やユーザからの操作入力を行う表示操作部と、ユーザによって複数種類の原稿読取条件を設定可能な原稿読取条件設定手段とを具備した画像形成装置において、前記本体制御部が、前記複数種類の原稿読取条件の設定状態を組み合わせた状態を表す原稿設定アイコンを前記表示操作部にグラフィック表示させることを特徴とする。
【００１２】
また本発明は、請求項１に記載の発明において、前記複数種類の原稿読取条件のうち少なくとも１つが両面とじ方向設定であることを特徴とする。
【００１３】
また本発明は、請求項２に記載の発明において、両面選択が両面読取モードのときにのみ、前記両面とじ方向設定を反映した原稿読取条件の設定状態を表す原稿設定アイコンを前記表示操作部にグラフィック表示させることを特徴とする。
【００１４】
また本発明は、原稿画像を読み取り画像データを得る画像入力部と、画像データに基づいて用紙に画像を形成する印刷制御部と、画像形成装置の動作を制御する本体制御部と、ユーザに対する表示やユーザからの操作入力を行う表示操作部と、ユーザによって複数種類の原稿読取条件を設定可能な原稿読取条件設定手段とを具備した画像形成装置の表示制御方法において、前記複数種類の原稿読取条件の設定状態を組み合わせた状態を表す原稿設定アイコンを前記表示操作部にグラフィック表示させることを特徴とする。
【００１５】
また本発明は、請求項４に記載の発明において、前記複数種類の原稿読取条件のうち少なくとも１つが両面とじ方向設定であることを特徴とする。
【００１６】
また本発明は、請求項５に記載の発明において、両面選択が両面読取モードのときにのみ、前記両面とじ方向設定を反映した原稿読取条件の設定状態を表す原稿設定アイコンを前記表示操作部にグラフィック表示させることを特徴とする。
【発明の効果】
【００１７】
本発明によれば、複数種類の原稿読取条件の設定状態を表示操作部に効率よく表示することによって、表示操作部のスペースの有効利用を図るとともに原稿読取条件の設定状態に対するユーザの認知性を向上させることができる画像形成装置を提供することができる。
【００１８】
すなわち、本発明によれば、複数種類の原稿読取条件の設定状態を、１つのアイコンで表示操作部に表示するので、表示操作部のスペースの有効利用が図れるし、明快なアイコンで表示するので、原稿読取条件の設定状態に対するユーザの認知性を向上させることができる。
【発明を実施するための最良の形態】
【００１９】
以下、本発明の実施の形態を図面を参照して説明する。
【００２０】
図１は、本発明による画像形成装置の一実施の形態の構成を示す概略断面図である。本実施の形態では画像形成装置として電子写真方式の複写機を例に挙げて説明する。
【００２１】
ここで、図１を参照して本実施の形態による画像形成装置１００の構成および基本動作について説明する。
【００２２】
なお、本実施の形態ではカラー画像の画像形成が可能な画像形成装置について説明するが、本発明はこれに限られたものではなく、モノクロの画像形成のみが可能な画像形成装置にも適用可能であることは言うまでもない。
【００２３】
画像形成装置本体１００は、カラー画像形成手段用に複数組の原稿書き込みユニット１５３Ｙ、１５３Ｍ、１５３Ｃを備え、モノクロ画像形成手段用に原稿書き込みユニット１５４Ｋを備えるものである。原稿書き込みユニット１５３Ｙはイエロー色、原稿書き込みユニット１５３Ｍはマゼンタ色、原稿書き込みユニット１５３Ｃはシアン色、原稿書き込みユニット１５４Ｋは黒色の画像形成が可能になっている。
【００２４】
上記原稿書き込みユニット１５３Ｙ、１５３Ｍ、１５３Ｃ、１５４Ｋにそれぞれ対応して、感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋを備えている。また、上記カラー画像形成手段、モノクロ画像形成手段に共通する中間転写ユニット９を備えており、中間転写ユニット９は、複数のローラに巻回され、回転可能に支持されて上記感光体６Ｙ、６Ｍ、６Ｃ、６Ｋと接触可能に配置されたエンドレスベルト形状の中間転写体９ａと該中間転写体９ａを上記感光体６Ｙ、６Ｍ、６Ｃ、６Ｋに接触させて画像を転写させる一次転写手段９Ｙ、９Ｍ、９Ｃ、９Ｋを有している。
【００２５】
次いで他の構成を説明すると、画像形成装置１００の上部側には、スキャナ部として機能する原稿読み取りユニット１が設けられており、ガラス面のプラテン上に原稿がセットされ、原稿読み取りユニット１で走査されて読み取られる。該原稿読み取りユニット１内には上記走査によって得られる反射光が入力されるＣＣＤ１３１が配置されている。なお、原稿読み取りユニット１にはＡＤＦ（自動原稿送り装置）１ａを接続し、原稿の両面を読取可能な構成にすることが望ましい。
【００２６】
また、画像形成装置１００の下部には、給紙トレイ２、３、４が配置されており、それぞれに給紙手段２ａ、３ａ、４ａが設けられている。また、画像形成装置１００の側方外壁部には手差しトレイ５が設けられており、該手差しトレイ５に対する給紙手段５ａが設けられている。このように複数の給紙トレイ、手差しトレイが設けられているのでサイズの異なる複数種類の用紙を用いることができる。
【００２７】
上記給紙手段２ａ〜５ａの給紙側先方にはレジストローラ１５が配置され、さらにその先方には前記中間転写体９ａに用紙を押圧可能な二次転写ローラ１６が配置されている。該二次転写ローラ１６の先方には、定着手段１７が設けられており、該定着手段１７の先方には排紙ローラ１８が設けられている。
【００２８】
画像形成装置１００では、画像形成指令にしたがって、カラーでの印刷の際には、上記原稿書き込みユニット１５３Ｙ、１５３Ｍ、１５３Ｃ、１５４Ｋによって必要に応じて形成された画像が、前記感光体６Ｙ、６Ｍ、６Ｃ、６Ｋ、帯電手段７Ｙ、７Ｍ、７Ｃ、７Ｋ、現像手段８Ｙ、８Ｍ、８Ｃ、８Ｋ、一次転写手段９Ｙ、９Ｍ、９Ｃ、９Ｋによって中間転写体９ａに転写される。一方、モノクロ印刷の際には上記原稿書き込みユニット１５４Ｋによって形成された画像が、前記感光体６Ｋ、帯電手段７Ｋ、現像手段８Ｋ、一次転写手段９Ｋによって中間転写体９ａに転写される。
【００２９】
一方、画像形成に必要な用紙は、用紙サイズ等にしたがって給紙トレイ２、３、４または手差しトレイ５のいずれかから、給紙手段２ａ、３ａ、４ａまたは５ａによって給紙され、レジストローラ１５を経て二次転写ローラ１６に至る。該二次転写ローラ１６によって用紙は中間転写体９ａに押圧され、中間転写体９ａ上の画像が用紙に転写される。画像が転写された用紙は、定着手段１７で画像の定着がなされ、排紙ローラ１８を経て画像形成装置１００の外部に排出される。
【００３０】
図２は、図１に示した画像形成装置本体１００の制御に関する構成を示すブロック図である。
【００３１】
図２に示すように、画像形成装置本体１００は、本体の全体制御を行う本体制御部２１と、原稿読み取りユニット１を有し、原稿から画像を読み取る画像入力部２２と、原稿書き込みユニット１５３Ｙ、１５３Ｍ、１５３Ｃ、１５４Ｋを有し、たとえば紙などの画像形成用紙に画像を形成する印刷制御部２５と、画像入力部２２によって読み取った画像データやそのほか、本体制御部２１で実行するプログラム、画像形成装置１００の動作に必要なパラメータ、表示操作部２６にて表示するアイコンデータ等を記憶する記憶部２４と、画像形成装置１００からユーザに対して情報表示したり、ユーザが画像形成装置１００に対する操作、指示等を入力する表示操作部２６と、画像形成した用紙をステイプル止めしたり、ファイリング用の穴あけをしたりする後処理装置２７とを有して構成される。
【００３２】
表示操作部２６は、たとえば、タッチパネル式の操作パネルと固定ボタン式の操作部とを有して構成される。この表示操作部は図１においては示していないが、画像形成装置本体１００の上段の、ユーザが操作しやすい位置に設けるのがよい。
【００３３】
また、この表示操作部２６は、ＣＲＴ、液晶、ＥＬ等の表示パネル部と、表示パネルのボタン位置に対応した座標位置の検出を行うタッチパネル、マウス等の入力装置部とを含むものであってもよい。
【００３４】
次に、本実施の形態の動作について図面を参照しながら詳細に説明する。
【００３５】
図３は、図１に示した本実施の形態の画像形成装置１００におけるアイコン表示処理の流れの一例を示すフローチャートである。
【００３６】
本実施の形態は、画像形成装置１００によって原稿画像を読み取る場合についてのものである。
【００３７】
まずユーザは、原稿読み取りユニット１に原稿をセットするとともに、画像形成装置１００の表示操作部２６において、その原稿がどのような種類のものであるかを設定する。このような設定を行うことによって、画像形成装置１００では、その原稿状態に適した画像読取を行うことができる。
【００３８】
図４は、画像形成装置１００の表示操作部２６に表示される、原稿状態を設定する画面の一例を示す図である。
【００３９】
この図４に示す表示操作部２６は、前画面（たとえば図６や図７に後述するようなコピー操作の基本画面）においてユーザが原稿設定ボタン３０を押下したときに表示される画面であり、原稿の状態をユーザが設定する画面である。
【００４０】
この図４に示す表示操作部２６には、原稿セット方向設定欄３１と、両面とじ方向設定欄３２と、特殊原稿設定欄３４と、定形／不定形原稿設定欄３５とが設けられ、ユーザがこれらの設定をした後にＯＫボタン３６を押下すると、そのときの設定が有効になる。これらが、ユーザによって複数種類の原稿読取条件を設定可能な原稿読取条件設定手段である。図４において、３７は詳しくは後述するアイコン表示領域である。
【００４１】
ここで、各設定について説明を加える。
【００４２】
まず、原稿セット方向設定欄３１は、ユーザが原稿読み取りユニット１に原稿をセットしたとき、画像がどの向きになるように原稿をセットしたかを設定するものである。
【００４３】
次に、両面とじ方向設定欄３２については図５を参照しながら説明する。
【００４４】
図５は、両面とじ方向設定欄３２の設定に関して説明を行う図である。
【００４５】
図５に示すように、両面とじ方向設定欄３２は、ユーザが原稿読み取りユニット１にセットした原稿が、両面印刷された原稿であり、その両面画像の両方ともを画像読取するものであり、その両面の表面の画像と裏面の画像とが天地が逆になっているか、そうでないかを設定するものである。
【００４６】
また、図４の特殊原稿設定欄３４は、ユーザが原稿読み取りユニット１に原稿をセットしたとき、その原稿がＺ折りしてあるものであるなど特殊な原稿であるかを設定するものである。
【００４７】
また、図４の定形／不定形原稿設定欄３５は、ユーザが原稿読み取りユニット１に原稿をセットしたとき、その原稿がインデックス用の耳があるなどの特殊な形状のものであるかを設定するものである。
【００４８】
ここで、図３の説明を行う。
【００４９】
上述のように読み取る原稿の状態がユーザが表示操作部２６を操作して設定されることで、画像形成装置１００の本体制御部２１は、それぞれの設定状態を取得する。
【００５０】
すなわち、まず原稿セット方向設定欄３１の設定状態から原稿セット方向を取得し（Ａ−１）、特殊原稿設定欄３４の設定状態から特殊原稿の設定を取得し（Ａ−２）、定形／不定形原稿設定欄３５の設定状態から定形／不定形原稿設定を取得する（Ａ−３）。
【００５１】
ステップ（Ａ−４）において、両面選択設定欄３８で片面読取モードが設定されていた場合にはそのままステップ（Ａ−６）へと進み、両面選択設定欄３８で両面読取モードが設定されていた場合には両面とじ方向設定欄３２の設定状態から両面とじ方向設定を取得し（Ａ−５）、ステップ（Ａ−６）へと進む。
【００５２】
ステップ（Ａ−６）では、ステップ（Ａ−１）、（Ａ−２）、（Ａ−３）および（Ａ−５）において取得した、各原稿読取条件の設定状態に応じて、予め定めてたとえば記憶部２４に記憶してあるアイコンデータ（たとえば、表示操作部２６にアイコン表示するための、そのアイコン画像を構成する画像データ）を読み出す。なお、アイコンデータの取得は記憶部２４から読み出すものに限らず、たとえば外部と通信して得るようにしてもよいし、何らかの演算によってアイコンデータを算出するようにしてもかまわない。
【００５３】
ユーザは、画像形成装置１００の表示操作部２６にて、原稿の読み取りを行う際にその原稿の片面を読み取るか、両面を読み取るかを指定する。この点について図６および図７を参照して説明する。
【００５４】
図６は、画像形成装置１００の表示操作部２６に表示される、コピー操作の基本画面を示す図であり、片面読込を選択している状態を示す図である。
【００５５】
図７は、画像形成装置１００の表示操作部２６に表示される、コピー操作の基本画面を示す図であり、両面読込を選択している状態を示す図である。
【００５６】
図６や図７の画面において原稿設定ボタン３０をユーザが押下すると、本体制御部２１による制御の下、画像形成装置１００の表示操作部２６の画面は図４に示した画面に遷移する。
【００５７】
図６や図７の画面には両面選択設定欄３８が設けられており、図３のステップ（Ａ−４）では、この両面選択設定欄３８でユーザが選択した状態を取得し、それに応じて処理を異ならせる。
【００５８】
図８は、画像形成装置１００の表示操作部２６のアイコン表示エリア３７に表示するアイコンの例を示す図であり、（ａ）〜（ｈ）は原稿読取条件の設定状態ごとに異なるアイコンのそれぞれを示す図である。
【００５９】
ところで、本実施の形態では、原稿セット方向設定欄３１、両面とじ方向設定欄３２および両面選択設定欄３８の設定状態に基づいて、アイコン表示エリア３７に表示するアイコンを異ならせている。
【００６０】
すなわち、両面選択設定欄３８で片面読取モードが設定された場合には、片面の原稿を示す図６のアイコン表示エリア３７に表示するようなアイコンであって、そのアイコン内の「Ａ」の文字が原稿セット方向設定欄３１での選択した向きになっているアイコンを、アイコン表示エリア３７に表示する。
【００６１】
また、両面選択設定欄３８で両面読取モードが設定され、原稿セット方向設定欄３１で図４の最上段（文字の上部が上で、文字の下部が下）が選択され、両面とじ方向設定欄３２で「上とじ」が選択された場合には、図８（ａ）に示すアイコンがアイコン表示エリア３７に表示される。
【００６２】
また、両面選択設定欄３８で両面読取モードが設定され、原稿セット方向設定欄３１で図４の最上段（文字の上部が上で、文字の下部が下）が選択され、両面とじ方向設定欄３２で「左右とじ」が選択された場合には、図８（ｂ）に示すアイコンがアイコン表示エリア３７に表示される。
【００６３】
また、両面選択設定欄３８で両面読取モードが設定され、原稿セット方向設定欄３１で図４の上から三番目（文字の上部が下で、文字の下部が上）が選択され、両面とじ方向設定欄３２で「上とじ」が選択された場合には、図８（ｃ）に示すアイコンがアイコン表示エリア３７に表示される。
【００６４】
また、両面選択設定欄３８で両面読取モードが設定され、原稿セット方向設定欄３１で図４の上から三番目（文字の上部が下で、文字の下部が上）が選択され、両面とじ方向設定欄３２で「左右とじ」が選択された場合には、図８（ｄ）に示すアイコンがアイコン表示エリア３７に表示される。
【００６５】
また、両面選択設定欄３８で両面読取モードが設定され、原稿セット方向設定欄３１で図４の上から二番目（文字の上部が左で、文字の下部が右）が選択され、両面とじ方向設定欄３２で「上とじ」が選択された場合には、図８（ｅ）に示すアイコンがアイコン表示エリア３７に表示される。
【００６６】
また、両面選択設定欄３８で両面読取モードが設定され、原稿セット方向設定欄３１で図４の上から二番目（文字の上部が左で、文字の下部が右）が選択され、両面とじ方向設定欄３２で「左右とじ」が選択された場合には、図８（ｆ）に示すアイコンがアイコン表示エリア３７に表示される。
【００６７】
また、両面選択設定欄３８で両面読取モードが設定され、原稿セット方向設定欄３１で図４の上から最下段（文字の上部が右で、文字の下部が左）が選択され、両面とじ方向設定欄３２で「上とじ」が選択された場合には、図８（ｇ）に示すアイコンがアイコン表示エリア３７に表示される。
【００６８】
また、両面選択設定欄３８で両面読取モードが設定され、原稿セット方向設定欄３１で図４の上から最下段（文字の上部が右で、文字の下部が左）が選択され、両面とじ方向設定欄３２で「左右とじ」が選択された場合には、図８（ｈ）に示すアイコンがアイコン表示エリア３７に表示される。
【００６９】
本体制御部２１では、上述のようなアイコンのアイコンデータを記憶部２４から読み出すことによって取得し（Ａ−６）、これを、図４、図６、図７に示すように、アイコン表示エリア３７にグラフィック表示する。
【００７０】
なお、本実施の形態では、上述のように、原稿セット方向設定欄３１、両面とじ方向設定欄３２および両面選択設定欄３８の設定状態に基づいて、アイコン表示エリア３７に表示するアイコンを異ならせ、これらの状態（すなわち複数の原稿読取条件を組み合わせた状態）を１つのアイコンで表すようにしているが、本発明はこれに限られるものではなく、図４に示した原稿セット方向設定欄３１、両面とじ方向設定欄３２、原稿画質設定欄３３、特殊原稿設定欄３４および定形／不定形原稿設定欄３５の設定状態、並びに両面選択設定欄３８の設定状態に基づいて、アイコン表示エリア３７に表示するアイコンを異ならせ、これらの状態（すなわち複数の原稿読取条件を組み合わせた状態）を１つのアイコンで表すようにしてもよい。また、原稿読取条件として上記以外の条件を含めるものとしてもよい。
【図面の簡単な説明】
【００７１】
【図１】本発明による画像形成装置の一実施の形態の構成を示す概略断面図である。本実施の形態では画像形成装置として電子写真方式の複写機を例に挙げて説明する。
【図２】図１に示した画像形成装置本体の制御に関する構成を示すブロック図である。
【図３】図１に示した本実施の形態の画像形成装置におけるアイコン表示処理の流れの一例を示すフローチャートである。
【図４】画像形成装置の表示操作部に表示される、原稿状態を設定する画面の一例を示す図である。
【図５】両面とじ方向設定欄の設定に関して説明を行う図である。
【図６】画像形成装置の表示操作部に表示される、コピー操作の基本画面を示す図であり、片面読込を選択している状態を示す図である。
【図７】画像形成装置の表示操作部に表示される、コピー操作の基本画面を示す図であり、両面読込を選択している状態を示す図である。
【図８】画像形成装置の表示操作部のアイコン表示エリアに表示するアイコンの例を示す図であり、（ａ）〜（ｈ）は原稿読取条件の設定状態ごとに異なるアイコンのそれぞれを示す図である。
【符号の説明】
【００７２】
１  原稿読み取りユニット
１ａ  ＡＤＦ
２、３、４  給紙トレイ
２ａ、３ａ、４ａ  給紙手段
５  手差しトレイ
５ａ  給紙手段
６Ｙ、６Ｍ、６Ｃ、６Ｋ  感光体
７Ｙ、７Ｍ、７Ｃ、７Ｋ  帯電手段
８Ｙ、８Ｍ、８Ｃ、８Ｋ  現像手段
９  中間転写ユニット
９ａ  中間転写体
９Ｙ、９Ｍ、９Ｃ、９Ｋ  一次転写手段
１５  レジストローラ
１６  二次転写ローラ
１７  定着手段
１８  排紙ローラ
１３１  ＣＣＤ
１５３Ｙ、１５３Ｍ、１５３Ｃ  原稿書き込みユニット
１５４Ｋ  原稿書き込みユニット
１００  画像形成装置本体
２１  本体制御部
２２  画像入力部
２３  画像処理部
２４  記憶部
２５  印刷制御部
２６  表示操作部
２７  後処理装置
３０  原稿設定ボタン
３１  原稿原稿セット方向設定欄
３２  両面とじ方向設定欄
３４  特殊原稿設定欄
３５  定形／不定形原稿設定欄
３６  ＯＫボタン
３７  アイコン表示領域
３８  両面選択設定欄
【図１】
2005151190.tif 000003
【図２】
2005151190.tif 000004
【図３】
2005151190.tif 000005
【図４】
2005151190.tif 000006
【図５】
2005151190.tif 000007
【図６】
2005151190.tif 000008
【図７】
2005151190.tif 000009
【図８】
2005151190.tif 000010